(57)【要約】【課題】従来のシャフト内蔵型のチューブラ開閉機を備えた収納部の出寸法を変更することなく、巻取シャフト外に開閉機を設置する。【解決手段】正面ケース板４２と、上面ケース板４０と、下面ケース板４１と、左右の側面部と、を備えたシャッター装置の収納部の構造において、下面ケース板４１を、正面ケース板４２の下端の高さ位置よりも下方に配置することで、収納部の躯体側で下方の隅部に開閉機の設置空間が形成され、開閉機３３が、開閉機３３の少なくとも一部が正面ケース板４２の下端よりも下方に位置するように、前記設置空間に配置されており、シャッター全開時には、正面ケース板４２の下端と下面ケース板４１の先端の内まぐさ４１０との間に形成される空間をシャッターカーテン３２の下端部位が閉塞する。【選択図】図２
2010084394.tif 000002
【特許請求の範囲】
【請求項１】
正面ケース板と、上面ケース板と、下面ケース板と、左右の側面部と、を備え、内部に巻取シャフトに巻装されたシャッターカーテンの巻きの収納空間を形成するシャッター装置の収納部の構造において、
前記下面ケース板を、前記正面ケース板の下端の高さ位置よりも下方に配置することで、前記収納空間の躯体側で下方の隅部において、シャッターカーテンの巻きの躯体側斜め下方に位置する開閉機の設置空間が形成されており、
開閉機が、当該開閉機の少なくとも一部が前記正面ケース板の下端よりも下方に位置するように、前記設置空間に配置されており、
前記下面ケース板の先端には内まぐさが形成されており、シャッター全開時には、前記正面ケース板の下端と前記内まぐさとの間に形成される空間をシャッターカーテンの下端部位が閉塞する、
シャッター装置の収納部の構造。
【請求項２】
前記左右の側面部は、ガイドレール下地枠の上方部位から構成されており、
前記上面ケース板は、前記ガイドレール下地枠の上端間に設けてあり、
前記正面ケース板は、上面部、正面部、左右の側面部を備えており、前記上面ケース板及び前記左右の側面部に対して着脱自在である、
請求項１に記載の収納部の構造。
【請求項３】
前記ガイドレールは、当該ガイドレールと略同じ高さ寸法を有するガイドレール下地枠に支持されており、
前記正面ケース板、前記左右の側面部は、前記ガイドレール下地枠の上端の上側に位置して設けてあり、
前記下面ケース板は、前記ガイドレール下地枠の上端の下側に位置して設けてある、
請求項１に記載の収納部の構造。
【請求項４】
前記巻取シャフトの長さ方向両端部は左右のブラケットに支持されており、
各ブラケットは、その躯体側に下方に延出する延出部を備えており、
前記延出部は、前記設置空間内に位置しており、前記開閉機は前記延出部あるいは／および当該延出部に取り付けた部材に取り付けられる、
請求項１乃至３いずれかに記載の収納部の構造。
【発明の詳細な説明】
【技術分野】
【０００１】
本発明は、シャッター装置の収納部の構造に関するものである。
【背景技術】
【０００２】
窓シャッター装置は、窓開口部に対して持ち出し状に設置されるため、窓開口部全体の美観や意匠性を損ねることがないよう、なるべく躯体の外壁からの突出寸法を小さく押さえたいという要望がある。
【０００３】
図９は、このような要望に応えるべく開発された従来の窓シャッター装置の部分側面図であり、シャフト内蔵型のいわゆるチューブラ開閉機を採用することで省スペース化を図ることにより、収納部の出寸法を押さえている。
【０００４】
しかしながら、シャフト内蔵型の開閉機は、メンテナンス性が悪いうえ、コスト高であるという欠点がある。そこで、開閉機を巻取シャフト外に設置することが検討されるが、収納部の出寸法を小さく押さえたいという要望を満たすべく、開閉機の設置スペースをいかにして確保するかが課題となる。
【特許文献１】特開２００２−９７８６５
【特許文献２】特開２００３−１９３７６８
【発明の開示】
【発明が解決しようとする課題】
【０００５】
本発明は、従来のシャフト内蔵型のチューブラ開閉機を備えた収納部の出寸法及び室外側から見た時の外観を変更することなく、巻取シャフト外に開閉機を設置することができるような収納部の構造を提供することを目的とするものである。
【課題を解決するための手段】
【０００６】
本発明が採用した技術手段は、
正面ケース板と、上面ケース板と、下面ケース板と、左右の側面部と、を備え、内部に巻取シャフトに巻装されたシャッターカーテンの巻きの収納空間を形成するシャッター装置の収納部の構造において、
前記下面ケース板を、前記正面ケース板の下端の高さ位置よりも下方に配置することで、前記収納空間の躯体側で下方の隅部において、シャッターカーテンの巻きの躯体側斜め下方に位置する開閉機の設置空間が形成されており、
開閉機が、当該開閉機の少なくとも一部が前記正面ケース板の下端よりも下方に位置するように、前記設置空間に配置されており、
前記下面ケース板の先端には内まぐさが形成されており、シャッター全開時には、前記正面ケース板の下端と前記内まぐさとの間に形成される空間をシャッターカーテンの下端部位が閉塞する、
シャッター装置の収納部の構造、である。
【０００７】
１つの態様では、前記左右の側面部は、ガイドレール下地枠の上方部位から構成されており、
前記上面ケース板は、前記ガイドレール下地枠の上端間に設けてあり、
前記正面ケース板は、上面部、正面部、左右の側面部を備えており、前記上面ケース板及び前記左右の側面部に対して着脱自在である。
１つの態様では、前記ガイドレールは、当該ガイドレールと略同じ高さ寸法を有するガイドレール下地枠に支持されており、
前記正面ケース板、前記左右の側面部は、前記ガイドレール下地枠の上端の上側に位置して設けてあり、
前記下面ケース板は、前記ガイドレール下地枠の上端の下側に位置して設けてある。
このように、本発明が適用される収納部の構成としては、収納部の左右の側面部がガイドレール下地枠の上方部位から一体的に形成されているもの、あるいは、収納部の左右の側面部がガイドレール下地枠とは別の部材から形成されているものの両方を含む。
また、いわゆるサッシ一体型窓シャッターにおいては、サッシ上枠が本発明の下面ケース板を構成する。
【０００８】
１つの態様では、前記巻取シャフトの長さ方向両端部は左右のブラケットに支持されており、
各ブラケットは、その躯体側に下方に延出する延出部を備えており、
前記延出部は、前記設置空間内に位置しており、前記開閉機は前記延出部あるいは／および当該延出部に取り付けた部材に取り付けられる。
【発明の効果】
【０００９】
本発明の収納部の構造では、収納部の下面ケース板を正面ケース板の下端よりも下方に位置させることで、収納部の出寸法を大きくすることなく、開閉機の設置空間を確保した。さらに、本発明の収納部の構造では、収納部の下面ケース板を下方に位置させて収納部の躯体側の高さ寸法を大きくするものでありながら、正面ケース板の高さ寸法を大きくする必要がないので、収納部の出寸法が従来の収納部と不変であることと相俟って、屋外側から見える外観が従来の収納部の外観と同じである収納部を提供することができる。
【００１０】
本発明の収納部の構造では、正面ケース板の下端の高さ位置に対する下面ケース板の相対的な高さ位置を変更するのみで、収納部を構成する板材には従来の収納部（例えば、図９に示す）を構成する板材と同様の部材を用いることができ、部品の共通化を図ることができる。これに関連して、請求項２、請求項３に規定する構成においては、ガイドレール下地枠の高さを従来のガイドレール下地枠の高さに比べて開閉機を収納する空間の高さ分だけ上方に延ばすことで、下面ケース板（床面ないし水切から下面ケース板までの寸法は変更することが難しい）に対する他の構成部材の位置を相対的に上方に移動させることのみで、収納部の構成部材は従来の収納部の構成部材と同様の部材を用いることができる。また、開閉機を巻取シャフトの外側に配置することで、シャフト内蔵型の開閉機に比べてメンテナンスが容易で、かつ、開閉機のコスト、すなわち、シャッター本体のコストを抑えることができる。
【００１１】
このように、本発明は、屋外側から見える外観が従来のコンパクトな収納部の外観と同じでありながら、開閉機を巻取シャフトの外側に配置することを可能とするものであり、特許文献１、特許文献２に開示されているような収納部の構成とは異質の技術思想に係るものである。
【発明を実施するための最良の形態】
【００１２】
本発明の実施形態を図面に基づいて詳細に説明する。図１は、窓開口部に取り付けられるシャッター装置の全体分解斜視図である。図２は、窓シャッターの装置の部分側面図である。
【００１３】
シャッター装置は、開口部左右に設けられる左右のガイドレール下地枠１と、左右のガイドレール下地枠１にそれぞれ取り付けられる左右のガイドレール２と、開口部上方に設置されるシャッター本体３と、シャッター本体３を収納するシャッターケース（収納部）４と、を備えている。
【００１４】
シャッター本体３は、左右のブラケット３０間に回転自在に支持された巻取シャフト３１と、収納時には巻取シャフト３１に巻装され、開閉時には幅方向の両端部が左右のガイドレール２に案内されながら昇降するシャッターカーテン３２と、巻取シャフト３１を電動駆動させる開閉機３３と、を備えている。シャッターカーテン３２は、開口幅方向に延出する複数枚のスラット３２０を上下方向に連設することで形成されており、上端は巻取シャフト３１に連結されており、下端には座板部３２０Ａが設けてある。
【００１５】
シャッターケース４は、上面ケース板４０と、下面ケース板４１と、正面ケース板４２と、から構成されている。図１には、これらの構成要素が分解して示してあり、図２には、これらの構成要素が組み立てられたシャッターケース４が示してある。また、ガイドレール下地枠１は、ガイドレール２の上端を越えてさらに上方に延出しており、ガイドレール下地枠１の上方部位１０がシャッターケース４の側面の部分を構成している。
【００１６】
図２に示すように、建物躯体５の窓開口部５０には窓障子７が取り付けられており、窓シャッター装置は、窓障子７の外側の空間を閉鎖するように、建物躯体５の外壁５１に対して持ち出し状に取り付けられている。図２では、開口部５０の上枠５００、サッシ枠の上枠５０１のみが図示されている。
【００１７】
ガイドレール下地枠１は、所定幅で所定高さを備えた長尺状の板状部材である。ガイドレール下地枠１は、基端側が建物躯体５の外壁５１に螺子を用いて連結されており、ガイドレール下地枠１は、外壁５１に対して垂直状に屋外側へ向かって持ち出し状に延出している。左右のガイドレール下地枠１は、互いに対向状に延出しており、その先端には左右のガイドレール２が支持されている。したがって、ガイドレール下地枠１の幅寸法Ｗは、建物躯体５の外壁５１からガイドレール２までの距離によって決定される。
【００１８】
ガイドレール下地枠１は、ガイドレール２の上端を越えてさらに上方に延出しており、シャッター装置の全高に亘る高さ寸法を備えている。左右のガイドレール下地枠１の間には、上端に位置して、上面ケース板４０が設けられ、さらに、ガイドレール２の上端よりもやや下方の高さに位置して、下面ケース板４１が設けられている。また、左右のガイドレール下地枠１の下端に位置して、水切板６が設けられる。
【００１９】
上面ケース板４０は、長さ方向（開口幅方向）の両端が左右のガイドレール下地枠１（上方部位１０）に支持され、基端側が建物躯体５の外壁５１に（任意要素として、上面ケース補助部材４０ａを介して）螺子を用いて連結されており、外壁５１から略水平状に屋外側へ向かって持ち出し状に延出している。上面ケース板４０の先端側には、正面ケース板４２を係止する被係止部４００が形成されている。
【００２０】
下面ケース板４１は、長さ方向（開口幅方向）の両端が左右のガイドレール下地枠１に支持され、基端側が建物躯体５の外壁５１に螺子を用いて連結されており、外壁５１から略水平状に屋外側へ向かって持ち出し状に延出している。下面ケース板４１の先端には内まぐさ４１０が一体形成されている。内まぐさ４１０の先端は、シャッターカーテン３２の昇降経路に臨んでおり、シャッターカーテン３２が全開状態まで巻き上げられた時に、シャッターカーテン３２の下端の座板３２０Ａの屋内側に設けたストッパ３２０Ｂが内まぐさ４１０の下面に当接するようになっている。
【００２１】
ガイドレール下地枠１の突出寸法、すなわち幅寸法Ｗは、建物躯体５の外壁５１からガイドレール２までの領域をカバーするものであり、また、上面ケース板４０及び下面ケース板４１の突出寸法は、ガイドレール下地枠１の突出寸法と略同じ寸法である。したがって、図２から明らかなように、上面ケース板４０、下面ケース板４１、ガイドレール下地枠１の上方部位１０のみでは、巻取シャフト３１に巻装されるシャッターカーテン３２の巻き３２Ａの屋外側の略半部が露出した状態となる。正面ケース板４２は、この露出した部分をカバーするように着脱自在に設けられる。
【００２２】
正面ケース板４２は、上面部４２０と、正面部４２１と、左右の側面部４２２と、下面部４２３と、を備えており、上面部４２０の先端（屋内側部位）に形成した係止部４２０Ａを上面ケース板４０の先端（屋外側部位）に形成された被係止部４００に係止させ、下面部４２３を螺子Ｓ１を用いてブラケット３０（取付片３０４）に固定することで取付けられる。この状態において、正面ケース板４２の左右の側面部４２２の先端側部位（屋内側部位）は、ガイドレール下地枠１の上方部位１０の先端側部位（屋外側部位）に対して外方から重なっている。尚、本明細書において、「屋外側」、「屋内側」とは部材間の相対的な位置関係を示す用語であり、現実に建物の外部あるいは内部に位置することを意味するものではない。
【００２３】
図３はシャッター本体３の側面図、図４はシャッター本体３の正面図である。図３は、図２とは異なる側から見た側面図である。また、図４は、シャッター本体３の構成を示すことを目的する図であり、高さ方向の寸法と幅方向の寸法の比率は実際の比率に一致していない点に留意されたい。
【００２４】
左右のブラケット３０において、一方（図４の右側）のブラケットは駆動側ブラケット、他方（図４の左側）のブラケットは従動側ブラケットであり、巻取シャフト３１には、駆動側ブラケットに近接してスプロケット３１０が設けてあり、スプロケット３１０は開閉機３３の回転軸３３０のスプロケット３３１とチェーン３４を介して伝動連結されている。駆動側ブラケットと従動側ブラケットの形状は基本的に同じであり、以下の説明は両方のブラケットに共通する。ブラケット３０の構成について図５を中心として説明するが、図５に示すブラケットと他の図に示すブラケットは基本的な構成は同じであるものの、形状等が一部異なる点に留意されたい。
【００２５】
ブラケット３０の面部３００は、概ね方形状を有しているが、面部の基端側（屋内側）かつ下側には、下方に延出する延出部３００Ａが一体形成されている。ブラケット３０の面部３００（延出部３００Ａを含む）の周縁部には、面部３００に対して垂直状に延出する上片３０１、後片３０２、下片３０３が形成されている。左右のブラケット３０の上片３０１間には上板３５が架け渡してあり、左右のブラケット３０の下片３０３間には２本の下板３６が架け渡してある。ブラケット３の面部３００の下縁は室内側部位と室外側部位から段部状に形成されており、延出部３００Ａの下縁がより下位に位置する屋内側部位となっている。より上位に位置する屋外側部位には正面カバー板の下面部を取り付けるための取付片３０４が形成されている。
【００２６】
左右のブラケット３０の面部３００の延出部３００Ａの下端間に架け渡した下板３６には開閉機３３が載設されている。図３に示すように、開閉機３３は、側面視において方形状のケースを備えており、ケースの上面及び屋外側面には取付片３７が付着されており、取付片３７一体型ケースとなっている。取付片３７は下方に延出する延出片３７０を有しており、下板３６に形成した取付片３６０に螺子Ｓ２を用いて着脱可能に固定される。ケースの屋内側面及び下面はブラケット３０の下片３０３、下板３６には固定されておらず、したがって、螺子Ｓ２を取り外すだけで開閉機３３を取付片３７と共にシャッター本体３から取り外すことができる。
【００２７】
図７は、本発明の他の実施例を示す図であり、図２と類似する。同一の部材については、図２と図７とで同一の参照番号を付してあり、必要に応じて、既述の説明を図７の説明として援用することができる。図２と図７とは、下面ケース板４１Ａがサッシ枠の上枠を兼用する点を除いて、基本的な構成は同じである。
【００２８】
本発明に係る収納部の構造について、図２を従来例の図９と比較しつつ説明する。図９に示すように、従来の収納部の構造において、下面ケース板４１´の高さ位置は、正面ケース板４２の下端と略同じ高さにある。これに対して、図２から明らかなように、下面ケース板４１の高さ位置は、正面ケース板４２の下端（下面部４２３）の高さ位置に比べて、寸法Ｈだけ低い位置にある。下面ケース板４１を、正面ケース板４２の下端の高さ位置よりも下方に配置することで、シャッターケース４の収納部の躯体側で下方側の隅部において、シャッターカーテンの巻き３２Ａの躯体側斜め下方に位置する開閉機の設置空間を形成している。そして、開閉機３３が、開閉機３３の高さ寸法の略半部が正面ケース板４２の下端よりも下方に位置するように、設置空間に配置されている（図２、図６、図７）。
【００２９】
すなわち、従来の下面ケース板４１´の高さ位置を下方に変更することで、シャッターケース４（収納部）の出寸法を変更させることなく、開閉機３３を巻取シャフト３１の外に配置することを可能とした。さらに、正面ケース板４２としては、図９に示す従来の正面ケース板４２をそのまま用いることができるため、正面ケース板４２を従来のものと共通化することができると共に、屋外側から見えるシャッターケース４の高さが従来のものと同じに見える。
【００３０】
下面ケース板４１の高さ位置を、正面ケース板４２の下端（下面部４２３）の高さ位置に比べて、寸法Ｈだけ低い位置とすることで、正面ケース板４２の下端と下面ケース板４１の先端の内まぐさ４１０との間に空間が形成されるが、シャッター全開時（シャッター全閉時にはもちろん）には、シャッターカーテン３２の下端の座板３２０Ａとスラット３２０の一部が当該空間を閉塞することで、屋外側から当該空間が見えることはない。より具体的には、図２に示すように、シャッター全開時には、最下位のスラット３２０の長さ方向両端はガイドレール２内に位置しており、当該スラット３２０の下半部は、正面ケース板４２の下面部４２３よりも下方に延出している。さらに、当該スラット３２０の下端には開口部幅方向に延出する座板３２０Ａが設けてある。シャッター全開時において、座板３２０Ａの室内側に設けたストッパ３２０Ｂが下面ケース板４１の室外側先端に形成された内まぐさ４１０に下方から当接しており、こうすることで、座板３２０Ａおよび最下位のスラット３２０の下半部が、正面ケース板４２の下端と下面ケース板４１の先端の内まぐさ４１０との間に形成された空間の室内側を覆うように開口部全幅に亘って延出して当該空間を閉塞する。
【００３１】
図２に示す態様では、シャッター全開時には、シャッターカーテン３２の下端の座板３２０Ａとスラット３２０の一部が正面ケース板４２の下面よりも下方に露出した状態となっているが、需要者にとっては、露出した座板３２０Ａ及びスラット３２０に対してさらに屋外側に位置する正面ケース板４２が目を惹く部分であるため、シャッターカーテン４の外観は従来のものと同様である。シャッター全閉時においては、屋外側からの外観は、従来と同様の構成を備えた正面ケース板４２と正面ケース板４２の下方から床面まで垂直状に延出するシャッターカーテンからなり、従来のシャッター収納部の外観と同様である。
【００３２】
開閉機３３のメンテナンスを行なう場合には、螺子Ｓ１を取り外して正面ケース板４２をブラケット３０及び上面ケース板４０から取り外し、次いで、螺子Ｓ２を取り外して、開閉機３３を取付片３７と共にシャッター本体３から取り外して、収納部から取り出す。巻取シャフト自体をシャッター本体から取り外す必要がある従来のシャフト内蔵型の開閉機のメンテナンスに比べて手間がかからない。
【００３３】
上述の実施形態では、ガイドレール下地枠１は、ガイドレール２の上端を越えてさらに上方に延出しており、シャッター装置の全高に亘る高さ寸法を備えているが、シャッターケースの側面部をガイドレール下地枠とは別部材から構成してもよい。図８は本発明の他の実施形態を示す図であり、左右のガイドレール下地枠１´の高さ寸法はガイドレール２の高さ寸法と略同じであり、巻取シャフトの長さ方向両端を支持する左右のブラケット３０の外側に位置してサイドカバー１０´が設けてある。このようなサイドカバー１０´を備えたシャッターケースは公知であって、例えば、特開平８−３２６４４７号に開示されている。
【００３４】
左右の下地枠１´の上方部位には、上端よりも下方に位置して下地枠１´間に下面ケース板４１が設けてある。下面ケース板４１には、開閉機３３が載設されている。尚、開閉機３３は下面ケース板４１以外の他の部材によって支持されていてもよい。正面ケース板は図８では図示されていないが、正面ケース板の下端の高さは、サイドカバー１０´の下端の高さと略同じである。したがって、下面ケース板４１は、正面ケース板の下端の高さ位置よりも下方に配置されており、シャッターケースの収納空間の躯体側で下方の隅部において、シャッターカーテンの巻きの躯体側斜め下方に位置する開閉機の設置空間が形成され、開閉機３３が、当該開閉機の少なくとも一部が正面ケース板の下端よりも下方に位置するように、前記設置空間に配置されている。下面ケース板４１の先端には内まぐさが形成されており、シャッター全開時には、正面ケース板の下端と内まぐさとの間に形成される空間をシャッターカーテンの下端部位が閉塞する。
【産業上の利用可能性】
【００３５】
本発明は、窓シャッター装置の収納部に用いることができる。
【図面の簡単な説明】
【００３６】
【図１】窓シャッター装置の全体分解斜視図である。
【図２】窓シャッターの装置の部分側面図である。
【図３】図２とは異なる側から見たシャッター本体の側面図である。
【図４】シャッター本体の正面図である。
【図５】ブラケットを説明する図である。
【図６】窓シャッター装置の概略正面図であり、正面ケース板、開閉機、シャッターカーテンの巻きの位置関係を示す。
【図７】図２と類似の図であり、本発明の他の実施形態を示す。
【図８】図６と類似の図であり、本発明の他の実施形態を示す。
【図９】図２の類似の図であり、従来例を示す。
【符号の説明】
【００３７】
１  ガイドレール下地枠
２  ガイドレール
３  シャッター本体
３０  ブラケット
３１  巻取シャフト
３２  シャッターカーテン
３２０  スラット
３２０Ａ  座板
３２Ａ  シャッターカーテン巻き
３３  開閉機
４  シャッターカーテン
４１、４１Ａ  下面ケース板
４１０  内まぐさ
４２  正面ケース板
【図１】
2010084394.tif 000003
【図２】
2010084394.tif 000004
【図３】
2010084394.tif 000005
【図４】
2010084394.tif 000006
【図５】
2010084394.tif 000007
【図６】
2010084394.tif 000008
【図７】
2010084394.tif 000009
【図８】
2010084394.tif 000010
【図９】
2010084394.tif 000011